(57)【要約】      （修正有）【課題】酸素濃縮装置の設置時に、排熱用のスペースを確保する手段を提供する。【解決手段】酸素濃縮器の振動を吸収し、床面への振動伝達を防止するためのマットであり、該マットが、該酸素濃縮器の底面よりも広い方形をし、その外周部に巻き上げ防止用の補強部材を備える。また、該マットの、酸素濃縮器排気口側部分に、切り欠きを備える。【選択図】図４
2007244808.tif 000002
【特許請求の範囲】
【請求項１】
酸素濃縮器の振動を吸収し、床面への振動伝達を防止するためのマットであり、該マットが、該酸素濃縮器の底面よりも広い方形をし、その外周部に巻き上げ防止用の補強部材を備えることを特徴とする機台マット。
【請求項２】
該補強部材が硬質のロッド部材であり、少なくとも方形の３辺の外周部に備えることを特徴とする請求項１記載の機台マット。
【請求項３】
該補強部材が、少なくとも１つの平行する各辺が２つのロッド部材から構成されることを特徴とする請求項２記載の機台マット。
【請求項４】
該補強部材が、硬質のロッド部材であり、方形の対角線上に備えることを特徴とする請求項１記載の機台マット。
【請求項５】
該補強部材が、各対角線の交点で分離した４つのロッド部材で構成されることを特徴とする請求項４に記載の機台マット。
【請求項６】
該機台マットに酸素濃縮器の設置位置の表示を備えることを特徴とする請求項１〜５の何れかに記載の機台マット。
【請求項７】
該方形のマットの、酸素濃縮器排気口側部分に、切り欠きを備えることを特徴とする請求項１〜６の何れかに記載の機台マット。
【請求項８】
酸素濃縮器の振動を吸収し、床面への振動伝達を防止するためのマットであり、該マットが、該酸素濃縮器の底面よりも広い方形であって、且つ酸素濃縮器の排気口側部分に切り欠きを備えることを特徴とする機台マット。
【発明の詳細な説明】
【技術分野】
【０００１】
本発明は、酸素濃縮装置の設置時に、床面を保護すると共に機械の振動の伝播を防止する為に酸素濃縮装置の下に敷く機台マットに関する。
【背景技術】
【０００２】
近年、肺気腫症、慢性気管支炎などの呼吸器系疾患に苦しむ患者が増加する傾向があるが、その最も効果的な治療法の一つとして酸素吸入療法があり、空気中から酸素濃縮気体を直接分離する酸素濃縮器が開発され、使用時の利便性、保守管理の容易さから酸素吸入療法用の治療装置として、次第に普及するようになってきている。
【０００３】
かかる酸素濃縮器として、窒素を選択的に吸着し得る吸着剤を充填した吸着型酸素濃縮器が知られ、中でも空気供給手段として空気圧縮機を用いた圧力変動吸着型の酸素濃縮器が、在宅酸素吸入療法の装置として用いられている。かかる装置は、通常、窒素を選択的に吸着し得る吸着剤を充填した１個或いは複数の吸着床にコンプレッサーから圧縮空気を供給して加圧状態で窒素を吸着させることにより酸素濃縮気体を得る吸着工程と、吸着床の内圧を減少させて窒素を脱着させ吸着剤の再生を行う脱着工程を一定サイクルで繰り返し行い、更に必要に応じて、脱着工程終了直前に、既に生成した乾燥酸素濃縮気体を一部逆流させ再生効率の向上と昇圧を目的とする均圧工程を加えて、順次一定サイクルで行うことにより酸素濃縮気体を得る装置である。
【０００４】
酸素濃縮器は在宅で使用されるため、設置位置は一般家庭の部屋のフローリング床面や畳面となる。酸素濃縮器自体は３０kg前後の重量を有する為、機器のキャスター移動や長期間の設置により床面を傷つける可能性がある。また、このような酸素濃縮器はコンプレッサーを搭載している為、運転に伴って振動が生じる。これに対して特許文献１や２に記載のように、装置内にスプリングなどの防振機構を備え、また機器の重心バランスを取るなどでかかる振動を吸収しているが、若干の振動は機器から発生する。かかる振動のフローリング床への伝播を防止する必要がある。
そこで、酸素濃縮装置を家庭に設置する際には、ナイロンカーペットやポリエステルカーペットなどの機台マットを機器の下に敷かれる。
【０００５】
【特許文献１】特開２０００−２８１３１５号公報
【特許文献２】特開２００５−３０４８６２号公報
【発明の開示】
【発明が解決しようとする課題】
【０００６】
酸素濃縮装置では、コンプレッサーや電装部品など機械内部の部品から発生する熱を空冷の形で外部に放熱する必要がある。しかし、日本の狭い室内環境下では、酸素濃縮装置が家具等の隙間に設置されることがあり、排熱の為の十分なスペースが確保されない可能性ある。この場合には発生した熱が機器内部に貯まり、機台温度の上昇を引き起こし、機器故障の原因となる。
【０００７】
酸素濃縮器に取っ手やフックなどを設け、平面方向のスペースを強制的に確保する手段もあるが、通常の設置状態で使用する者にとっては、かかる取っ手などは寧ろ邪魔な部材になる。
【課題を解決するための手段】
【０００８】
本発明者は、酸素濃縮装置の設置時に使用する機台マットに着目し、機台スペースを確保する手段を見出した。
すなわち本発明は、酸素濃縮器の振動を吸収し、床面への振動伝達を防止するためのマットであり、該マットが、該酸素濃縮器の底面よりも広い方形をし、その外周部に巻き上げ防止用の補強部材を備えることを特徴とする機台マットを提供するものである。
【０００９】
また本発明は、かかる補強部材が硬質のロッド部材であり、少なくとも方形の３辺の外周部に備えることを特徴とし、特に該補強部材が、少なくとも１つの平行する各辺が２つのロッド部材から構成されることを特徴とする機台マットを提供するものである。
【００１０】
また本発明は、かかる補強部材が、硬質のロッド部材であり、方形の対角線上に備えることを特徴とし、特に該補強部材が、各対角線の交点で分離した４つのロッド部材で構成されることを特徴とする機台マットを提供するものである。
【００１１】
また本発明は、該機台マットに酸素濃縮器の設置位置の表示を備えること、該方形のマットの、酸素濃縮器排気口側部分に、切り欠きを備えることを特徴とする機台マットを提供するものである。
【００１２】
更に本発明は、酸素濃縮器の振動を吸収し、床面への振動伝達を防止するためのマットであり、該マットが、該酸素濃縮器の底面よりも広い方形であって、且つ酸素濃縮器の排気口側部分に切り欠きを備えることを特徴とする機台マットを提供するものである。
【発明を実施するための最良の形態】
【００１３】
本発明の機台マットは、酸素濃縮器の振動を吸収し、床面への振動伝達を防止するためのマットであり、該酸素濃縮器の底面よりも広いスペースを有する。これにより空冷による排熱空気を排気するための空間スペースを確保することが出来る。
【００１４】
酸素濃縮器を本来定められた空間を確保せずに家具等の隙間に設置するような場合には、かかる機台マットも丸めて狭いスペースに押し込んで設置する可能性がある。この場合酸素濃縮器の排気口が丸めたマットにより閉塞される危険性がある。本発明の機台マットは、その外周部に巻き上げ防止用の補強部材を備えることで、マット周囲を丸めることが防止している。補強部材としては、金属や樹脂、木などの硬質の部材を使用する。ロッド状としてマット外周部等に挿入することで外周部の巻き込みを防ぐ。
【００１５】
補強部材を入れると、不使用時にはそのままの形状で保管や運搬をする必要があるため、折り畳めるものとするのが好ましい。このために方形の機台マットの外周部にロッドを入れる場合には、平行する対辺のロッドを各々２つの部材で構成することでロッド間で２つ折りにすることができる。各辺に平行に十字に入れる場合は十字の交点、対角線上にロッドを入れる際には対角線交点で分割した形でロッドを挿入することで折り畳みが可能となる。ロッドの挿入方法はこれに限らず、各辺から内側方向に複数のロッドを挿入することで巻き上げを防止することができる。
【００１６】
機台マットそのものは、毛織、ナイロン、ポリエステル、ポリプロピレンなどのカーペット生地や不織布生地、発泡ウレタンやその他衝撃吸収素材のものなどを使用することが出来る。耐久性や価格面からカーペット生地のものが使用される。また抗菌性素材を採用することで、衛生面への対応も可能となる。裏面はゴム処理などのすべり防止の処理を行うのが好ましい。
【００１７】
仮に巻き上げられて挿入された場合であっても、最低限、酸素濃縮装置の排気口をの閉塞だけは防止するために、排気口部分に相当する部分を切り欠いた形状とすることも可能である。
【００１８】
機台マットでスペースを確保しても、酸素濃縮装置を壁側に押し込んで設置してしまっては排熱スペースを確保できないため、機台マットの中央には酸素濃縮器の設置位置を示す表示を備えるのが好ましい。
【実施例】
【００１９】
本発明の機台マットの実施例を示す。医療用の圧力変動吸着型酸素濃縮装置を設置する際に使用する機台マットである。図１は本発明の機台マットの模式図である。ナイロン製のカーペットであり、二色に染色し、中央に酸素濃縮器の設置位置を示す。対角線上にポリプロピレン製の樹脂ロッドを対角に各２本編みこみ、中央で分断した形状とする。これによりマット周囲の巻上げ防止と中央で２つ折り、４つ折りが可能となる。機台マットの大きさは、酸素濃縮器の大きさ及び排熱の大きさから必要なスペースを計算して設定する。今回のマットは酸素濃縮器の大きさに各方向１５ｃｍの幅の大きさに設定した。
【００２０】
図２は、対面に十字にポリプロピレンロッドを補強部材として入れた場合の模式図を示す。図１と同様に中央で分割した形で４本のロッドを各辺から中心方向に織り込んだ形状とした。
【００２１】
図３は、ナイロン製のカーペット生地の各辺に平行にSUSの針金を挿入した。一方の対辺は一本の針金とし、他方の対辺は２つに分割した形で機台マット外周部に針金を織り込んだ。何れの機台マットも四方からの巻上げを行うことは出来ない。
【００２２】
図４は、酸素濃縮器の排気口部位に相当する位置を切り欠いた形状のものである。仮に機台マットを無理やり巻き上げたとしても排気口自体を巻き上げたマットで閉塞させることは防止することができる。
【００２３】
図５は、ナイロン製のカーペット生地に鋼板を２枚挿入したものである。鋼板部分で酸素濃縮器の荷重を支持し、酸素濃縮器のキャスター部分での床面の沈み込み、装置の移動による床面の傷発生を防止することが出来る。鋼板の挿入により周囲の巻上げを防止すると共に、２つ折りが可能な形状となっている。
【図面の簡単な説明】
【００２４】
【図１】本発明の機台マットの実施態様例。
【図２】本発明の機台マットの実施態様例。
【図３】本発明の機台マットの実施態様例。
【図４】本発明の機台マットの実施態様例。
【図５】本発明の機台マットの実施態様例。
【図１】
2007244808.tif 000003
【図２】
2007244808.tif 000004
【図３】
2007244808.tif 000005
【図４】
2007244808.tif 000006
【図５】
2007244808.tif 000007